(57)【要約】      （修正有）【課題】燃料タンクと燃焼装置とを結ぶ燃料パイプの磁気ユニットを対向状態で配置することにより、燃料パイプ内を通過する燃料の構成分子は磁場作用により微細化され、酸素との結合効率が改善されて燃料は活性化し、燃焼装置の不完全燃焼を抑制し、燃焼効率を向上することができる燃料活性化装置を提供する。【解決手段】燃料タンクＴと燃焼装置Ｂとを結ぶ燃料パイプＰを挟着可能な挟持部材１及び永久磁石２をもつ対向する一組の磁気ユニットＫを備えてなる。【選択図】図５
0003149860.tif 000002
【実用新案登録請求の範囲】
【請求項１】
燃料タンクと燃焼装置とを結ぶ燃料パイプを挟着可能な挟持部材をもつ対向する一組の磁気ユニットを備えてなり、上記各挟持部材にそれぞれ永久磁石を埋め込み可能な埋込凹部を形成し、該各埋込凹部内に永久磁石をその前面を該埋込凹部の内底面側にして埋込配設し、該各永久磁石の後面に有底箱状のヨーク部材の内底面を磁着して該ヨーク部材により各永久磁石の後面及び該埋込凹部で覆われている永久磁石の側周面を覆設し、該各挟持部材に該ヨーク部材の側周面及び外底面を覆う蓋部材を設け、各挟持部材を該燃料パイプを挟んで相互に止着可能な止着部材を設けてなることを特徴とする燃料活性化装置。
【請求項２】
上記各磁気ユニットに配設された各永久磁石は対向する各前面が互いにＮ極とＮ極又はＳ極とＳ極の同極が対向するように配置されていることを特徴とする請求項１記載の燃料活性化装置。
【請求項３】
上記蓋部材及び上記挟持部材は合成樹脂からなり、互いに超音波溶着により密閉状態に接合されていることを特徴とする請求項１又は２記載の燃料活性化装置。
【請求項４】
上記各挟持部材の上記永久磁石の前面に対向する部分の厚さを薄くするための肉薄部を形成してなることを特徴とする請求項１〜３のいずれか１項に記載の燃料活性化装置。
【請求項５】
上記永久磁石はネオジム磁石であることを特徴とする請求項１〜４のいずれか１項に記載の燃料活性化装置。
【考案の詳細な説明】
【技術分野】
【０００１】
本考案は、例えば、車両、船舶、ボイラー等の燃焼装置に供給される各種の燃料を微細化して燃焼効率を向上させる燃料活性化装置に関するものである。
【背景技術】
【０００２】
従来、この種の燃料活性化装置として、燃料タンクと燃焼装置とを結ぶ燃料パイプを挟着可能な対向一対の挟持部材にそれぞれ永久磁石を内蔵してなる構造のものが知られている。
【先行技術文献】
【特許文献】
【０００３】
【特許文献１】特開平８−２１８９５４号公報
【考案の概要】
【考案が解決しようとする課題】
【０００４】
しかしながら、これら従来構造の場合、対向一対の挟持部材により燃料パイプを挟み込むための構造や挟持部材に永久磁石を内蔵するための構造が複雑化し易く、燃料パイプへの配置取付性が厄介となり易いことがあるという不都合を有している。
【課題を解決するための手段】
【０００５】
本考案はこのような不都合を解決することを目的とするもので、本考案のうちで、請求項１記載の考案は、燃料タンクと燃焼装置とを結ぶ燃料パイプを挟着可能な挟持部材をもつ対向する一組の磁気ユニットを備えてなり、上記各挟持部材にそれぞれ永久磁石を埋め込み可能な埋込凹部を形成し、該各埋込凹部内に永久磁石をその前面を該埋込凹部の内底面側にして埋込配設し、該各永久磁石の後面に有底箱状のヨーク部材の内底面を磁着して該ヨーク部材により各永久磁石の後面及び該埋込凹部で覆われている永久磁石の側周面を覆設し、該各挟持部材に該ヨーク部材の側周面及び外底面を覆う蓋部材を設け、各挟持部材を該燃料パイプを挟んで相互に止着可能な止着部材を設けてなることを特徴とする燃料活性化装置にある。
【０００６】
又、請求項２記載の考案は、上記各磁気ユニットに配設された各永久磁石は対向する各前面が互いにＮ極とＮ極又はＳ極とＳ極の同極が対向するように配置されていることを特徴とするものであり、又、請求項３記載の考案は、上記蓋部材及び上記挟持部材は合成樹脂からなり、互いに超音波溶着により密閉状態に接合されていることを特徴とするものであり、又、請求項４記載の考案は、上記各挟持部材の上記永久磁石の前面に対向する部分の厚さを薄くするための肉薄部を形成してなることを特徴とするものであり、又、請求項５記載の考案は、上記永久磁石はネオジム磁石であることを特徴とするものである。
【考案の効果】
【０００７】
本考案は上述の如く、請求項１記載の考案にあっては、燃料タンクと燃焼装置とを結ぶ燃料パイプの磁気ユニットを対向状態で配置することにより、燃料パイプ内を通過する燃料の構成分子は磁場作用により微細化され、酸素との結合効率が改善されて燃料は活性化し、燃焼装置の不完全燃焼を抑制し、燃焼効率を向上することができると共に二酸化炭素の排出を抑制することができ、この際、上記磁気ユニットとして、各挟持部材にそれぞれ永久磁石を埋め込み可能な埋込凹部を形成し、各埋込凹部内に永久磁石をその前面を埋込凹部の内底面側にして埋込配設し、各永久磁石の後面に有底箱状のヨーク部材の内底面を磁着してヨーク部材により各永久磁石の後面及び埋込凹部で覆われている永久磁石の側周面を覆設し、かつ、ヨーク部材の外底面にヨーク板を持着し、各挟持部材にヨーク部材の側周面及びヨーク板を介して外底面を覆う蓋部材を設けて構成しているから、一対の挟持部材を止着部材により容易に燃料パイプに配置することができ、燃料パイプの外径サイズに対する融通性を高めることができ、かつ、永久磁石は挟持部材及び蓋部材により密閉状態となって使用の耐久性を高めることができ、更に、埋込凹部に永久磁石を埋込配設しているから、永久磁石を挟持部材に確実に内装することができ、またさらに、ヨーク部材により永久磁石の磁場作用を燃料パイプに集中することができ、燃料の活性化作用を高めることができる。
【０００８】
又、請求項２記載の考案にあっては、上記各磁気ユニットに配設された各永久磁石は対向する各前面が互いにＮ極とＮ極又はＳ極とＳ極の同極が対向するように配置されているから、燃料は反発磁場の影響を受けることで吸引磁場に比較して燃料の活性化作用を高めることができ、又、請求項３記載の考案にあっては、上記蓋部材及び上記挟持部材は合成樹脂からなり、互いに超音波溶着により密閉状態に接合されているから、永久磁石は挟持部材及び蓋部材により密閉状態となって使用の耐久性を高めることができ、又、請求項４記載の考案にあっては、上記各挟持部材の上記永久磁石の前面に対向する部分の厚さを薄くするための肉薄部を形成しているから、永久磁石を燃料パイプに接近して配置することができ、永久磁石の磁束を燃料パイプに良好に及ぼすことができ、又、請求項５記載の考案にあっては、上記永久磁石はネオジム磁石であるから、強力な磁束密度により活性化作用を高めることができる。
【図面の簡単な説明】
【０００９】
【図１】本考案の実施の第一形態例の全体斜視図である。
【図２】本考案の実施の第一形態例の部分分解斜視図である。
【図３】本考案の実施の第一形態例の使用状態の斜視図である。
【図４】本考案の実施の第一形態例の使用状態の全体横断面図である。
【図５】本考案の実施の第一形態例の使用状態の全体側断面図である。
【図６】本考案の実施の第一形態例の使用状態の説明図である。
【図７】本考案の実施の第二形態例の使用状態の説明図である。
【図８】本考案の実施の第三形態例の使用状態の説明図である。
【図９】本考案の実施の第四形態例の使用状態の説明図である。
【考案を実施するための形態】
【００１０】
図１乃至図９は本考案の実施の形態例を示し、図１乃至図６は第一形態例、図７は第二形態例、図８は第三形態例、図９は第四形態例である。
【００１１】
図１乃至図６の第一形態例において、Ｋ・Ｋは磁気ユニットであって、この場合、燃料タンクＴと燃焼装置Ｂ、例えば、車両の内燃機関、船舶、ボイラー等の燃焼装置とを結ぶ燃料パイプＰを挟着可能な対向一対の挟持部材１・１を備えてなり、各挟持部材１・１にそれぞれ永久磁石２・２を埋め込み可能な埋込凹部３・３を形成し、各埋込凹部３・３内に永久磁石２・２をその前面を埋込凹部３・３の内底面側にして埋込配設し、各永久磁石２・２の後面に有底箱状のヨーク部材４・４の内底面を磁着してヨーク部材４・４により各永久磁石２・２の後面及び埋込凹部３・３で覆われている永久磁石２・２の側周面を覆設し、かつ、ヨーク部材４・４の外底面にヨーク板５を持着し、各挟持部材１・１にヨーク部材４・４の側周面及びヨーク板５を介して外底面を覆う蓋部材６・６を設け、各挟持部材１・１を燃料パイプＰを挟んで相互に止着可能な止着部材７・７を設けて構成している。
【００１２】
この場合、止着部材７として結束バンドが用いられ、上記各挟持部材１・１に挿通穴Ｎを複数個形成し、各挟持部材１・１を燃料パイプＰを挟む状態で対向配置し、挿通穴Ｎに止着部材７・７を挿通巻装して燃料パイプＰに磁気ユニットＫ・Ｋを対向状態で止着するように構成している。
【００１３】
この場合、上記永久磁石は２・２としてネオジム磁石、具体的には、磁束密度が１２，６００ガウス〜１３，０００ガウス程度のＮｄ−ＦＥ−Ｂ系焼結磁石が用いられ、挟持部材１・１及び蓋部材６・６は合成樹脂により製作され、ヨーク部材４・４及びヨーク板５・５は低炭素鋼が用いられ、燃料パイプＰの外径は６ｍｍ〜２０ｍｍ程度であり、この場合８ｍｍとなっている。
【００１４】
又、この場合、上記各磁気ユニットＫ・Ｋに配設された各永久磁石２・２は対向する各前面が互いにＮ極とＮ極の同極が対向するように配置され、又、この場合、上記蓋部材６・６及び上記挟持部材１・１は合成樹脂からなり、互いに超音波溶着Ｍにより密閉状態に接合されている。
【００１５】
又、この場合、上記各挟持部材１・１の上記永久磁石２・２の前面に対向する部分の厚さを薄くするための肉薄部１ａ・１ａを形成している。
【００１６】
この実施の第一形態例は上記構成であるから、燃料タンクＴと燃焼装置Ｂとを結ぶ燃料パイプＰの磁気ユニットＫ・Ｋを対向状態で配置することにより、燃料パイプＰ内を通過する燃料Ｆの構成分子は磁場作用により微細化され、酸素との結合効率が改善されて燃料は活性化し、燃焼装置Ｂの不完全燃焼を抑制し、燃焼効率を向上することができると共に二酸化炭素の排出を抑制することができ、この際、上記磁気ユニットＫ・Ｋとして、各挟持部材１・１にそれぞれ永久磁石２・２を埋め込み可能な埋込凹部３・３を形成し、各埋込凹部３・３内に永久磁石２・２をその前面を埋込凹部３・３の内底面側にして埋込配設し、各永久磁石２・２の後面に有底箱状のヨーク部材４・４の内底面を磁着してヨーク部材４・４により各永久磁石２・２の後面及び埋込凹部３・３で覆われている永久磁石２・２の側周面を覆設し、かつ、ヨーク部材４・４の外底面にヨーク板５を持着し、各挟持部材１・１にヨーク部材４・４の側周面及びヨーク板５を介して外底面を覆う蓋部材６・６を設けて構成しているから、一対の挟持部材１・１を止着部材７により容易に燃料パイプＰに配置することができ、燃料パイプＰの外径サイズに対する融通性を高めることができ、かつ、永久磁石２・２は挟持部材１及び蓋部材６により密閉状態となって使用の耐久性を高めることができ、更に、埋込凹部３に永久磁石２を埋込配設しているから、永久磁石２を挟持部材１に確実に内装することができ、またさらに、ヨーク部材４・４により永久磁石２の磁場作用を燃料パイプＰに集中することができ、燃料の活性化作用を高めることができる。
【００１７】
この場合、上記各磁気ユニットＫ・Ｋに配設された各永久磁石２・２は対向する各前面が互いにＮ極とＮ極の同極が対向するように配置されているから、燃料Ｆは反発磁場の影響を受けることで吸引磁場に比較して燃料の活性化作用を高めることができ、又、この場合、上記蓋部材６・６及び上記挟持部材１・１は合成樹脂からなり、互いに超音波溶着により密閉状態に接合されているから、永久磁石２・２は挟持部材１及び蓋部材６により密閉状態となって使用の耐久性を高めることができ、又、この場合、上記各挟持部材１・１の上記永久磁石２・２の前面に対向する部分の厚さを薄くするための肉薄部１ａ・１ａを形成しているから、永久磁石２・２を燃料パイプＰに接近して配置することができ、永久磁石２・２の磁束を燃料パイプＰに良好に及ぼすことができ、又、この場合、上記永久磁石２・２はネオジム磁石であるから、強力な磁束密度により活性化作用を高めることができる。
【００１８】
図７の第二形態例は別例構造を示し、この場合、上記各磁気ユニットＫ・Ｋに配設された各永久磁石２・２は対向する各前面が互いにＳ極とＳ極の同極が対向するように配置され、その他は第一形態例と同一の構造及び形態となっている。
【００１９】
図８の第三形態例は別例構造を示し、この場合、上記各磁気ユニットＫ・Ｋに配設された各永久磁石２・２は対向する各前面が互いにＮ極とＳ極の異極が対向するように配置され、その他は第一形態例と同一構造及び形態となっている。
【００２０】
図９の第四形態例は別例構造を示し、この場合、上記第一形態例の一組の磁気ユニットＫ・Ｋを複数組、この場合、三組、燃料パイプＰに対して直列状に配置して構成している。勿論、上記第二形態例又は第三形態例の一組の磁気ユニットＫ・Ｋを複数組、燃料パイプＰに対して直列状に配置することもできる。
【００２１】
これら第二形態例、第三形態例、第四形態例においても、第一形態例と同様な作用効果を得ることができる。
【００２２】
尚、本考案は上記の形態例に限られるものではなく、挟持部材１、蓋部材６、止着部材７の形態や永久磁石２の種類や形態、構造は適宜変更して設計されるものである。
【００２３】
以上の如く、所期の目的を充分達成することができる。
【符号の説明】
【００２４】
Ｔ    燃料タンク
Ｂ    燃焼装置
Ｐ    燃料パイプ
Ｍ    超音波溶着
Ｋ    磁気ユニット
１    挟持部材
１ａ    肉薄部
２    永久磁石
３    埋込凹部
４    ヨーク部材
６    蓋部材
７    止着部材
【図１】
0003149860.tif 000003
【図２】
0003149860.tif 000004
【図３】
0003149860.tif 000005
【図４】
0003149860.tif 000006
【図５】
0003149860.tif 000007
【図６】
0003149860.tif 000008
【図７】
0003149860.tif 000009
【図８】
0003149860.tif 000010
【図９】
0003149860.tif 000011